(57)【要約】  【課題】  羽毛の充填作業が容易で、充填した羽毛が逆流し難く、使用中には羽毛の移動が少ない羽毛布団を提供する。  【解決手段】  表地と裏地の間に、縦横の隔壁布によって複数個に区画された小区画室が形成され、これら複数個の小区画室には羽毛が充填される羽毛布団において、上記縦横の隔壁布の少なくとも一方を、二重隔壁布（Ａ、Ｂ）によって構成し、この二重隔壁布のうち一方の隔壁布（Ａ）に水平の切り込み（ａ）を形成し、他方の隔壁布（Ｂ）に隔壁布（Ａ）の水平の切り込み（ａ）に直交する切り込み（ｂ）を形成し、切り込み（ａ）と切り込み（ｂ）とによって羽毛充填パイプ挿通口としたことを特徴とする。  【選択図】  図１。
2006122387.tif 000002
【特許請求の範囲】
【請求項１】
表地と裏地の間に、縦横の隔壁布によって複数個に区画された小区画室が形成され、これら複数個の小区画室には羽毛が充填される羽毛布団において、上記縦横の隔壁布の少なくとも一方を、二重隔壁布（Ａ、Ｂ）によって構成し、この二重隔壁布のうち一方の隔壁布（Ａ）に水平の切り込み（ａ）を形成し、他方の隔壁布（Ｂ）に隔壁布（Ａ）の水平の切り込み（ａ）に直交する切り込み（ｂ）を形成し、切り込み（ａ）と切り込み（ｂ）とによって羽毛充填パイプ挿通口とした、ことを特徴とする羽毛布団。
【請求項２】
横の隔壁布が二重にされてなる、請求項１に記載の羽毛布団。
【請求項３】
隔壁布が、不織布またはネットによって構成されてなる、請求項１または請求項２に記載の羽毛布団。
【請求項４】
切り込み（ａ）と切り込み（ｂ）が、小区画室を形成する隔壁の中央部に形成されてなる、請求項１ないし請求項３のいずれか一項に記載の羽毛布団。
【発明の詳細な説明】
【技術分野】
【０００１】
本発明は、羽毛布団に関するものである。さらに詳しくは、羽毛を小区画室に充填した羽毛を逆流させず、一の小区画室に充填した羽毛の移動を他の小区画室に移動させない羽毛布団に関するものである。
【背景技術】
【０００２】
表地と裏地とよりなる袋の中に水鳥の羽毛を充填した羽毛布団は、充填した羽毛が袋の中で移動して一方に片寄るのを防止するため、表地と裏地との間に隔壁布を配置・接合して複数個の小区画室を形成し、これら小区画室にそれぞれ羽毛を充填する構造とされている。そして複数の小区画室に羽毛を充填する手段として、小区画室に達する羽毛充填パイプによって、各小区画室に所定量の羽毛を空気圧送により吹き込んで充填する方法が採られている。
【０００３】
しかしながら、羽毛を複数の小区画室に均等に充填しても、羽毛を充填した直後に、充填した穴から羽毛が逆流したり、羽毛布団を使用している間に、羽毛が充填パイプを挿入した穴を通って、一の小区画室から他の区画室に移動したりすることがあり、布団の嵩高を不均一となり、保温性を悪化させ、使用者に不快感を与えることがある。このため、充填羽毛の逆流を防ぐための考慮が必要であり、羽毛充填パイプの挿入構造、羽毛吹き込み構造などの改良については種々提案（例えば、特許文献１、特許文献２参照）がなされている。
【０００４】
しかるに、従来から提案の羽毛吹き込み構造は、その構造が複雑で、充填羽毛の逆流は防ぐことはできても、羽毛吹き込み構造の取り付けが煩雑になったり、羽毛充填作業が困難になったりし、また構造が簡単であるものは、その取り付けや羽毛充填作業が容易であるものの、その目的たる充填羽毛の逆流を防ぐ効果が不十分であるという問題がある。
【特許文献１】特開平９−３７９１０号公報
【特許文献２】実開平６−２１４７２号公報
【発明の開示】
【発明が解決しようとする課題】
【０００５】
本発明は、この技術分野に存在していた上記欠点を解消すべく鋭意検討した結果完成されたものである。すなわち、本発明の目的は、その構造を簡単でものとしながら、羽毛布団の製作作業や、羽毛の充填作業が容易で、充填した羽毛が逆流せず、また、羽毛布団を使用している間に、一の小区画室から他の区画室に移動し難い羽毛布団を提供することにある。
【課題を解決するための手段】
【０００６】
上記課題を解決するために、本発明では、表地と裏地の間に、縦横の隔壁布によって複数個に区画された小区画室が形成され、これら複数個の小区画室には羽毛が充填される羽毛布団において、上記縦横の隔壁布の少なくとも一方を、二重隔壁布（Ａ、Ｂ）によって構成し、この二重隔壁布のうち一方の隔壁布（Ａ）に水平の切り込み（ａ）を形成し、他方の隔壁布（Ｂ）に隔壁布（Ａ）の水平の切り込み（ａ）に直交する切り込み（ｂ）を形成し、切り込み（ａ）と切り込み（ｂ）とによって羽毛充填パイプ挿通口とした、ことを特徴とする羽毛布団を提供する。
【発明の効果】
【０００７】
本発明は、次のような特別な有利な効果を奏し、その産業上の利用価値は極めて大である。
１．本発明に係る羽毛布団は、羽毛充填パイプ挿通口の構造が、切り込み方向を直交させた二枚の隔壁布で構成されているので、羽毛布団の製作が極めて容易である。
２．本発明に係る羽毛布団は、羽毛充填パイプの挿入、引き抜きに支障がなく羽毛の充填作業が容易である。
３．羽毛の充填作業時の羽毛充填パイプの挿入、引き抜きに支障がなく羽毛の充填作業が容易である。
４．本発明に係る羽毛布団は、羽毛充填パイプの引き抜きと同時に隔壁布の２重ネットの切り込みが元に戻って引き抜き穴を閉塞するので、羽毛を充填したあと羽毛が逆流し難い。
５．本発明に係る羽毛布団は、使用中の羽毛が移動し難いので、羽毛が一方に片寄ることがなく、保温性を悪化させず、かつ、使用者に不快感を与えることがない。
【発明を実施するための最良の形態】
【０００８】
以下、本発明を詳細に説明する。本発明に係る羽毛布団は、その基本構造として、表地と裏地の間に隔壁布を交差部で交差させ、縦横に区画された複数個の小区画室が形成されている（例えば、特公平６−４９０１５号公報の図４、特開平１０−１２７４５５号公報の図２などを参照）。表地と裏地の素材は、天然繊維、化学繊維から構成される編物、織物、組物などで調整することができる。化学繊維としては、ポリアミド繊維、ポリエステル繊維、ポリエチレン繊維、ポリプロピレン繊維などが挙げられる。表地と裏地は、薄く軽量なものが好適である。羽毛布団の平面の大きさは、一辺が１００ｃｍ〜３００ｃｍの範囲の四角形とされる。小区画の大きさは、羽毛布団の平面形状の大きさにより、一辺が５ｃｍ〜３０ｃｍの範囲で選ばれる。
【０００９】
各隔壁布は、狭幅で長尺の布地によって構成し、これらを布団の長さ方向（縦方向）と、これと直角の方向（横方向）に交差させた状態で接合させると共に、隔壁布の幅方向の両端部が表地と裏地とに接合される。隔壁布の素材は、天然繊維、化学繊維のいずれでもよく、不織布、レース、網などの通気性に優れたもので調製するのが好ましい。隔壁布の有効幅（羽毛を充填した状態での表地と裏地との間隔を規制する幅）は、羽毛布団の平面形状の大きさにより、３ｃｍ〜１０ｃｍの範囲で選ぶことができる。隔壁布には、有効幅の両端部に幅が３ｍｍ〜１０ｍｍの折返し部を設けて、それぞれを表地と裏地とに接合することができる。隔壁布の折返し部は、直接表地と裏地とに接合することもできるし、隔壁布の折返し部と、表地と裏地との間に接合片を介在させて接合することもできる。
【００１０】
羽毛布団は上のような基本構造であれば、表地と裏地の外側にさらに外袋で被包されて二重構造とされていてもよい。隔壁布は、縦横方向に交差させて配置・接合するのが好ましいが、布団の意匠上の観点から、縦横の一方または双方を湾曲させるなど、若干変形することもできる。なお、本発明において接合とは、逢着、接着、融着などを意味する。接着する場合は、接着剤、接着テープなどのいずれを使用してもよい。これら接合方法は、表地、裏地および隔壁布などを構成する素材によって、最適の接合方法を採用することができる。
【００１１】
本発明に係る羽毛布団は、上記縦横の隔壁布の少なくとも一方を、二重隔壁布（Ａ、Ｂ）によって構成する。少なくとも一方とは、縦または横の隔壁布のいずれか一方、および、縦または横の隔壁布の双方が含まれることを意味する。二重隔壁布（Ａ、Ｂ）は、横方向とするのが好ましい。隔壁布を二重とするのは、この部分に羽毛充填パイプ挿通口を設けるためである。
【００１２】
この二重隔壁布のうち一方の隔壁布（Ａ）に水平の切り込み（ａ）を、隔壁布（Ａ）の長さ方向に沿って形成し、他方の隔壁布（Ｂ）に隔壁布（Ａ）の水平の切り込み（ａ）に直交させて切り込み（ｂ）を形成する。一方の隔壁布（Ａ）に水平の切り込み（ａ）を形成する位置は、隔壁布（Ａ）の有効幅のほぼ中央であって、隣接する交差部の間とする。隣接する交差部の間であれば一方の交差部に片寄ってもよいが、隣接する交差部のほぼ中央部に形成すると、羽毛を各小区画室に均等に充填し易いので好ましい。切り込みの長さは、羽毛充填パイプを挿入できる程度とする。他方の隔壁布（Ｂ）に形成する羽毛充填パイプ、切り込み（ａ）と重なる位置に形成する。
【００１３】
切り込み（ａ）と切り込み（ｂ）とを、上記のように直交させて形成することにより、各小区画室に充填した直後の羽毛の逆流、羽毛布団使用中の羽毛の他の小区画室への移動、などを防止することができる。すなわち、羽毛を充填する際には、羽毛充填パイプを強制的に挿通する際に、切り込み（ａ）は表地と裏地側に、切り込み（ｂ）は交差部側にそれぞれ押し拡げられる。羽毛充填パイプを後退させる（引抜く）ときは、羽毛充填パイプによって押し拡げられた切り込み（ａ）と切り込み（ｂ）とも元の直線状に戻る。
【００１４】
隔壁布に形成する切り込みは、カッターなどの切刃によって形成する。切り込みは、表地と裏地に接合した後に形成してもよいが、表地と裏地に接合する前に、交差させる部分の寸法に合わせて設計し、この設計に準拠して形成するのが好ましい。切り込みの長さは、この切り込みに羽毛充填パイプを強制的に挿通できる最小の寸法にするのが好ましい。この長さが大き過ぎると、羽毛充填パイプを後退させた後元の直線状に戻り難くなり、挿通穴が残り羽毛が通過し易くなり好ましくない。
【００１５】
本発明に係る羽毛布団に羽毛を充填するには、まず羽毛充填パイプを、長方形状を呈する羽毛布団の外側の短辺から、二重隔壁布（Ａ、Ｂ）に設けた切り込み（ａ）および切り込み（ｂ）に強制的に挿通し、二本の長さ方向（縦方向）
の隔壁布に挟まれた小区画室の（複数個の）列の最も奥に位置する小区画室で、羽毛充填パイプの先端が筒状弁布（Ａ）の他端（Ａ２）から頭出しした（突き出した）状態とする。ついで、羽毛充填パイプを介して羽毛を最も奥に位置する小区画室内に吹き込み充填する。最も奥に位置する小区画室に羽毛の充填を完了した後は、羽毛充填パイプを奥から二番目の小区画室に後退させる。羽毛充填パイプを後退させる（引抜く）と、羽毛充填パイプによって押し拡げられた切り込み（ａ）、切り込み（ｂ）の双方とも、元の直線状に戻る。切り込み（ａ）、切り込み（ｂ）が元の直線状に戻ると穴が閉鎖させるので、小区画室内に充填した羽毛は、逆流しない。
【００１６】
最も奥の小区画室内に羽毛の充填を完了した後は、羽毛充填パイプを後退させる、奥から二番目の小区画室に設けられた切り込み（ａ）および切り込み（ｂ）にから頭出しした（突き出した）状態とし、奥から二番目の小区画室に羽毛を充填する。この小区画室に羽毛の充填を完了した後は、羽毛充填パイプを後退させる。この充填作業を繰り返し、最も手前の小区画室に羽毛を充填した後は、羽毛充填パイプを奥から三番目の小区画室に後退させる。この列の総ての小区画室に羽毛の充填を完了した後は、羽毛充填パイプ挿入口を接合する。同様の手順で、奥から三番目、奥から四番目の小区画室の順に羽毛を充填し、二列目、三列目の順に長さ方向（縦方向）の複数個の小区画室内へ羽毛を充填する。
【００１７】
羽毛の充填を完了した後、隣の小区画室に充填されて羽毛と、羽毛を充填する際の圧空によって隔壁布が緊張するので、羽毛充填パイプを引抜くと同時に、二重にされている隔壁布の切り込み（ａ）および切り込み（ｂ）は、それぞれ異なる方向の元の閉まった切り込み状態に直ちに戻って穴は閉鎖し、羽毛が逆流することがない。また、羽毛布団を使用している間に、一の小区画室から他の区画室に移動し難い。
【実施例】
【００１８】
以下、本発明に係る羽毛布団を、図面に基づき説明するが、本発明は以下の記載例に限定されるものではない。図１は、本発明に係る羽毛布団の一例の、一部切欠き部分拡大斜視図である。
【００１９】
本発明に係る羽毛布団は、例えば特開平１０−１２７４５５号公報の図２に記載されているように、平面形状が２００ｃｍ×３００ｃｍで木綿製の表地と裏地の間に、縦横の隔壁布（ポリエステル製で、有効幅が８ｃｍ、折返し幅５ｍｍ）によって、１５個に区画された小区画室を形成した。小区画室の数、各小区画室の大きさなどに特に制限はないが、小さすぎると縦横の隔壁布の接合作業、羽毛の充填作業などが煩雑になるので、好ましくない。
【００２０】
本発明に係る羽毛布団は、表地１と裏地２との間に、隔壁布（縦方向）３と隔壁布（横方向）４とを交差部５を設けて接合した。図に示した例では、隔壁布（横方向）４を二重構造とし、隔壁布Ａには長さが５ｃｍの切り込みａを、交差部５の幅方向中央部で、かつ、交差部の間の中央部に、隔壁布Ａの長さ方向に沿って設けた。また、隔壁布Ｂには長さが５ｃｍの切り込みｂを、隔壁布Ａの切り込みａに対して直角に、切り込みａの長さ方向の中央部に対応する位置に設けた。
【００２１】
上記構造の羽毛布団への羽毛を充填は、まず、図示されていない羽毛充填パイプを、長方形状を呈する羽毛布団の外側の短辺から、二重隔壁布（Ａ、Ｂ）に設けた切り込み（ａ）および切り込み（ｂ）に強制的に挿通し、二本の長さ方向（縦方向）の隔壁布に挟まれた小区画室の（複数個の）列の最も奥に位置する小区画室で、羽毛充填パイプの先端が筒状弁布（Ａ）の他端（Ａ２）から頭出しした（突き出した）状態とした。ついで、羽毛充填パイプを介して羽毛を最も奥に位置する小区画室内に吹き込み充填した。最も奥に位置する小区画室に羽毛の充填を完了した後は、羽毛充填パイプを奥から二番目の小区画室に後退させた。羽毛充填パイプを後退させる（引抜く）と、羽毛充填パイプによって押し拡げられた切り込み（ａ）、切り込み（ｂ）の双方とも、元の直線状に戻った。切り込み（ａ）、切り込み（ｂ）が元の直線状に戻ると穴が閉鎖させるので、小区画室内に充填した羽毛は、逆流しなかった。また、充填後の各小区画室からの隣の小区画室への羽毛の移動も起こらなかった。
【産業上の利用可能性】
【００２２】
本発明に係る羽毛布団は、小区画室に充填した直後の羽毛が逆流し難く、一の小区画室に充填した羽毛を他の小区画室に移動し難いので、羽毛布団として極めて有用である。
【図面の簡単な説明】
【００２３】
【図１】本発明に係る羽毛布団の一例の、一部切欠き部分拡大斜視図である。
【符号の説明】
【００２４】
１：表地
２：裏地
３：隔壁布（縦方向）
４：隔壁布（横方向）
５：交差部
６：小区画室
Ａ、Ｂ：隔壁布
ａ、ｂ：切り込み
【図１】
2006122387.tif 000003